(57)【特許請求の範囲】
【請求項１】
合成樹脂製等による平面板状のタグ本体の表面あるいは内部にコイルとコンデンサとからなる検出共振回路を設け、
前記検出共振回路は、検出用コイルによる検出回路と、共振用コイルとコンデンサからなる共振回路より構成し、
前記検出用コイルによる検出回路をタグ本体の外周付近に設け、
前記共振回路における共振コイルの巻き数及びコンデンサの容量を各々変更し、組み合わせることにより共振周波数を変更設定できることを特徴とする盗難防止用タグ。
【請求項２】
前記検出用コイルを１回巻きとしたことを特徴とする請求項１記載の盗難防止用タグ。
【請求項３】
タグ本体の内側に孔を設けてなることを特徴とする請求項１又は２記載の盗難防止用タグ。
【請求項４】
タグ本体の中央付近より折曲し、Ｌ字形に形成してなることを特徴とする請求項１又は２記載の盗難防止用タグ。
【請求項５】
タグ本体をほぼ３分割できる位置を折曲し、コの字形に形成してなることを特徴とする請求項１又は２記載の盗難防止用タグ。
【請求項６】
タグ本体が透明であることを特徴とする請求項１乃至５のいずれかに記載の盗難防止用タグ。
【発明の詳細な説明】
【０００１】
【発明の属する技術分野】
本発明は、各種商品の保護ケースに備える盗難防止用タグであって、販売店やレンタル店に設置されたゲートを通過すると警告する防犯システムに使用する盗難防止用タグに関するものである。
【０００２】
【従来の技術】
従来の技術としては、特開平１１−１２６２８３号公報記載のような、送信アンテナを内蔵した一方のゲートと受信アンテナを内蔵した他方のゲート間を、ＣＤ等の記録媒体を収納した収納ケース、又はこの収納ケースを覆う保護ケースに備えた共振回路が通過することによって電波吸収の有無を検知することができる盗難防止システムにおいて、前記収納ケースの記録媒体厚み方向両側のうち少なくとも一側面の外周縁に位置して電波を検出可能な検出回路と、前記収納ケースの一側面と交差する特定の一側面に位置し、且つ、前記検出回路と近接位置する、又は検出回路と接続された前記共振回路とから、盗難防止用タグを構成したことを特徴としているものがある。
【０００３】
しかし、上記のような形態では、ＣＤ等の記録媒体を収納する収納ケース又はこの収納ケースを覆う保護ケースに備えるものに限定しており、他の商品収納ケース等への対応（特に薄い平面商品）ができない。
また、収納ケースの一側面と交差する特定の一側面に、検出回路と共振回路を別々に設けてなる形態であり、構成が複雑になり、コスト高にもなる。
さらに、形状的に収納ケースや保護ケースに入れにくく、出しにくいものである。
【０００４】
【発明が解決しようとする課題】
本発明は、上記の問題点に鑑みなされたもので、その目的は、タグ本体を平面板状に形成すると共に、検出共振回路を検出用コイルによる検出回路と共振用コイルとコンデンサからなる共振回路により構成することにより、安価にしかもコンパクトにでき、特に薄い平面商品に有効に使用できる。
また、Ｌ字形あるいはコの字形に形成することにより、化粧品の収納ケースや各種ビデオの収納ケースに設けることができ、多種多様の商品の収納ケース（保護ケース）に使用できると共に、共振コイルの巻き数及びコンデンサの容量を変更することにより、簡易に共振周波数を変更設定できる盗難防止用タグを提供することである。
【０００５】
【課題を解決するための手段】
課題を解決するため、本発明に係る盗難防止用タグは、合成樹脂製等による平面板状のタグ本体の表面あるいは内部にコイルとコンデンサとからなる検出共振回路を設け、前記検出共振回路は、検出用コイルによる検出回路と、共振用コイルとコンデンサからなる共振回路より構成し、前記検出用コイルによる検出回路をタグ本体の外周付近に設け、前記共振回路における共振コイルの巻き数及びコンデンサの容量を各々変更し、組み合わせることにより共振周波数を変更設定できることを特徴とする。
例えば、本発明に係る盗難防止用タグにおいて、検出用コイルを１回巻きとした。また、タグ本体の内側に孔を設けてなる。また、タグ本体の中央付近より折曲し、Ｌ字形に形成してなる。また、タグ本体をほぼ３分割できる位置を折曲し、コの字形に形成してなる。また、タグ本体が透明である。
【０００６】
【発明の実施の形態】
盗難防止用タグ１は、適度な弾性力を有する透明な合成樹脂製等による内側に大きな孔２ａを設けてなる平面板状のタグ本体２（この実施例の場合、ＣＤ保護ケースに入れる形態で、両側下端を切り欠いている）の外周や内側にループ状に形成した１回巻きの検出用コイルによる検出回路３に、共振用コイル４ａとコンデンサ４ｂからなる共振回路４を設けてなる検出共振回路５を形成してなるものである。
なお、検出共振回路５はタグ本体２の表面に直接接着剤等にて固着しても、ラミネート加工にて固着してもよく、インサート成形にてタグ本体２内に内設してもよい。
さらに、共振回路４における共振コイル４ａの巻き数及びコンデンサ４ｂの容量を各々変更し、組み合わせることにより共振周波数を変更設定できる。
【０００７】
この盗難防止用タグ１は、一般に市販されているＣＤ保護ケースＫ内に入れて使用するもので、ＣＤ保護ケースＫの透孔Ｋ１より指を入れ、盗難防止用タグ１の孔２ａを通って中に入れてあるＣＤ収納ケース（図示せず）を取り外すものである。
また、孔２ａによりタグ本体２の表面積を小さくすることができ、ＣＤ収納ケースとの摩擦による曇り（ＣＤのタイトル等が見えなくなる）を最小限に抑えることができる。
さらに、盗難防止用タグ１は、レンタル店等に設置されたゲート（送受信アンテナを内蔵した形態のもの）を通過した時、共振周波数が一致することにより報知し、店員等に知られ、盗難を防止することができる。
【０００８】
次に、他の盗難防止用タグを説明する。
盗難防止用タグ２１は、前記と同様な素材で、中央付近より折曲してＬ字形に形成してなるタグ本体２２に１回巻きの検出コイルによる検出回路２３及び共振用コイル２４ａとコンデンサ２４ｂからなる共振回路２４を設けた検出共振回路２５を形成してなる。
なお、タグ本体２２の内部あるいは表面に検出共振回路２５を設け、その後、Ｌ字形に形成する形態である。
この盗難防止用タグ２１は、比較的厚みのあるケースの背面角部に設けて使用するものである。
【０００９】
盗難防止用タグ３１は、タグ本体３２をコの字形に形成してなるもので、化粧品等の収納ケースに合わせて内部に入れ、使用するものである。
【００１０】
なお、上記各実施例において、タグ本体が透明のもの以外で、着色に文字や絵等を印刷したものでもよい。
さらに、タグ本体の大きさは使用する各商品の収納ケースや保護ケースの大きさに合わせて設定すればよい。
【００１１】
【発明の効果】
１）、タグ本体を平面板状に形成すると共に、検出用コイルによる検出回路と共振コイルとコンデンサとからなる共振回路による検出共振回路を設けることにより安価に、しかもコンパクトにできる。
２）、特にＣＤ等の記録媒体を収納ケースや保護ケースに入れて使用する場合、平面板状の形態であるため、各ケースの厚みに関係なく使用できると共に、特に薄い商品ケースに有効である。
３）、タグ本体に孔を設けることにより孔明保護ケースにも使用できると共に、タグ本体とＣＤ収納ケースとの摩擦による曇りを防止できる。
４）、盗難防止用タグをＬ字形に形成することにより、観賞用ビデオケース等、厚い商品ケースの背面コーナー部に使用できる。
５）、盗難防止用タグをコの字形に形成することにより、化粧品（例えば口紅等）等、その厚さに合わせた形態のケースにフィットさせ使用できる。
６）、検出回路における検出用コイルを１回巻きとし、共振回路における共振コイルの巻き数及びコンデンサの容量を各々変更し、組み合わせることによりコンパクトに形成することができ、共振周波数を変更設定でき、各種周波数のゲートに対応することができる。
【図面の簡単な説明】
【図１】本発明の第１実施例を示す盗難防止用タグの正面図。
【図２】本発明の第１実施例を示す盗難防止用タグの底面図。
【図３】本発明の第１実施例を示す盗難防止用タグの使用状態図。
【図４】本発明の第２実施例を示す盗難防止用タグの斜視図。
【図５】本発明の第３実施例を示す盗難防止用タグの斜視図。
【符号の説明】
１−−−盗難防止用タグ
２−−−タグ本体
２ａ−−孔
３−−−検出回路
４ａ−−共振用コイル
４ｂ−−コンデンサ
４−−−共振回路
５−−−検出共振回路
Ｋ−−−保護ケース
Ｋ１−−透孔
【図１】
0004328481.tif 000002
【図２】
0004328481.tif 000003
【図３】
0004328481.tif 000004
【図４】
0004328481.tif 000005
【図５】
0004328481.tif 000006